(57)【要約】【解決手段】光コネクタ組立体は、（ａ）複数の同一構造のコネクタと、（ｂ）複数のコネクタを横並び状態で一緒に保持するクリップとを具備する。各コネクタは外被が被せられた光ケーブルに接続され、上面、下面、両側面、相手リセプタクルに挿入するためのプラグ端、及び光ケーブルを受容するためのケーブル端を有するほぼ直方体のハウジングを具備する。ハウジングは、各側面に沿って凹部を有する。クリップは、底部、底部から直角に延びる第１及び第２の端壁、並びに第１及び第２の端壁間を底部から直角に延びる１個以上の中間部を有する。各中間部は、第１端壁に対面する第１面及び第２端壁に対面する第２面を有する。第１端壁及び一中間壁の第１面は一方のコネクタの凹部内に受容され、第２端壁及び一中間壁の第２面は別のコネクタの凹部内に受容される。この結果、複数のコネクタは横並び配置で保持される。
2006520021.tif 000002
【特許請求の範囲】
【請求項１】
複数の同一構造のコネクタと、該複数のコネクタを横並び状態で一緒に保持するクリップとを具備するコネクタ組立体であって、
前記コネクタの各々は、上面、下面、両側面、相手リセプタクルに挿入するためのプラグ端、及び光ケーブルを受容するためのケーブル端を有するほぼ直方体のハウジングを具備し、該ハウジングは前記両側面の各々に沿った凹部を有し、
前記クリップは、底部、該底部から直角に延びる第１及び第２の端壁、並びに該第１及び第２の端壁間を前記底部から直角に延びる１個以上の中間部を有し、該中間部は、前記第１端壁に対面する第１面及び前記第２端壁に対面する第２面を有し、
前記第１端壁及び前記中間壁の前記第１面は前記コネクタの一つの前記凹部内に受容され、前記第２端壁及び前記中間壁の前記第２面は別の前記コネクタの前記凹部内に受容される結果、前記複数のコネクタは横並び配置で保持されることを特徴とする光コネクタ組立体。
【請求項２】
前記コネクタは、ラッチを有するＬＣ型コネクタであることを特徴とする請求項１記載のコネクタ組立体。
【請求項３】
前記凹部は前記ラッチの下に位置することを特徴とする請求項２記載のコネクタ組立体。
【請求項４】
前記凹部は、前記コネクタの一方の前記側面から前記コネクタの前記下面の周囲まで及び他の前記側面まで延びることを特徴とする請求項３記載のコネクタ組立体。
【請求項５】
前記ケーブル端は、ケーブルを前記コネクタに固定するよう構成された圧着片を具備することを特徴とする請求項２記載のコネクタ組立体。
【請求項６】
前記凹部は前記圧着片の前に配置されていることを特徴とする請求項５記載のコネクタ組立体。
【請求項７】
前記複数のコネクタは２個のコネクタであることを特徴とする請求項１記載のコネクタ組立体。
【請求項８】
前記コネクタはスモールフォームファクタコネクタであることを特徴とする請求項１記載のコネクタ組立体。
【請求項９】
前記クリップは、該クリップを各コネクタにスナップ係合できる弾性材料製であることを特徴とする請求項１記載のコネクタ組立体。
【請求項１０】
前記クリップは金属製であることを特徴とする請求項９記載のコネクタ組立体。
【請求項１１】
前記クリップは、前記端壁及び前記中間部を形成するよう曲げられた金属製の一体物であることを特徴とする請求項１０記載のコネクタ組立体。
【請求項１２】
前記クリップはプラスチック製であることを特徴とする請求項９記載のコネクタ組立体。
【請求項１３】
前記クリップは１個の前記中間部を有することを特徴とする請求項１記載のコネクタ組立体。
【請求項１４】
前記コネクタの各々は光ケーブルに接続されていることを特徴とする請求項１記載のコネクタ組立体。
【請求項１５】
前記光ケーブルは外被が被せられていることを特徴とする請求項１４記載のコネクタ組立体。
【請求項１６】
複数のコネクタを横並び状態で一緒に保持するクリップであって、前記コネクタの各々は光ケーブルに接続され、上面、下面、両側面、相手リセプタクルに挿入するためのプラグ端、及び前記光ケーブルを受容するためのケーブル端を有するほぼ直方体のハウジングを具備し、該ハウジングは前記両側面の各々に沿った凹部を有するクリップにおいて、
底部、
該底部から直角に延びる第１及び第２の端壁、並びに
該第１及び第２の端壁間を前記底部から直角に延びる１個以上の中間部を有し、該中間部は、前記第１端壁に対面する第１面及び前記第２端壁に対面する第２面を有し、
前記第１端壁及び前記中間壁の前記第１面は前記コネクタの一つの前記凹部内に受容され、前記第２端壁及び前記中間壁の前記第２面は別の前記コネクタの前記凹部内に受容される結果、前記複数のコネクタは横並び配置で保持されることを特徴とするクリップ。
【請求項１７】
前記クリップを各コネクタにスナップ係合できる弾性材料製であることを特徴とする請求項１６記載のクリップ。
【請求項１８】
金属製であることを特徴とする請求項１７記載のクリップ。
【請求項１９】
前記端壁及び前記中間部を形成するよう曲げられた金属製の一体物であることを特徴とする請求項１８記載のクリップ。
【請求項２０】
プラスチック製であることを特徴とする請求項１７記載のクリップ。
【請求項２１】
１個の前記中間部を有することを特徴とする請求項１６記載のクリップ。
【発明の詳細な説明】
【技術分野】
【０００１】
本発明は光ファイバコネクタに関し、より特定すると二連（duplex）コネクタ組立体に関する。
【背景技術】
【０００２】
光ファイバコネクタは、ほぼ全ての光ファイバ通信システムの重要部分である。例えば、このようなコネクタは、ファイバ断片をより長い長さに結合し、ファイバを放射源、検出器及びリピータ等の能動素子に接続し、ファイバをスイッチ及び減衰記等の受動素子に接続するために使用される。光ファイバコネクタの主な機能は、光ファイバのコアが、コネクタと嵌合する素子（以下、「嵌合素子」という）の光路と軸方向に整列するように光ファイバを保持することである。このようにして、１本のファイバからの光は嵌合素子の光路に光学的に結合される。
【発明の開示】
【発明が解決しようとする課題】
【０００３】
代表的なコネクタは、１本以上のファイバを保持するフェルールを含むハウジングを具備する。フェルールは、コネクタが嵌合素子と嵌合する際にフェルール中のファイバが嵌合素子の光路を付勢するように、ハウジング内で前方へ付勢される。このような光接続を構築するために、例えばＳＣ型コネクタ、ＳＴ型コネクタ及びＦＣ型コネクタ、並びにＭＴＲＪ型コネクタ、ＭＵ型コネクタ、ＬＣ型コネクタ、ＭＰＸ型コネクタ及びＭＰＯ型コネクタ等のより最近の「スモールフォームファクタ」設計を含む多くの異なる従来のコネクタが今日では入手できる。
【０００４】
光ファイバを使用するネットワーク及び通信機器において、光ファイバは、１本の送信光ファイバ及び１本の受信光ファイバに対応する複数対で嵌合することが多い。接続は正確に行われることが基本である。例えば、１本の送信光ファイバの別の送信ファイバ又はトランシーバの送信器ポートへの接続、１本の受信光ファイバの別の受信光ファイバ又はトランシーバの受信器ポートへの接続を確保することが重要である。
【０００５】
適正な極性を確保するために、二連光コネクタが通信産業で使用され、２本の単信（simplex）光ファイバを二連配置に結合して両光ファイバが通信機器上に配置されるポートに又は光ファイバの複数対を一緒に接続するアダプタに同時に接続できるようにされてきた。例えば、米国特許第５５７９４２５号（以下、'４２５号特許と称する）は、図３に示されたＬＣコネクタに基づく光ファイバ二連コネクタを開示する。二連コネクタは、プラスチッククリップ５２を有する単信ＬＣコネクタ５１の対を互いに結合することにより形成される。各クリップ５２は、異なる直径の１対の筒状ピン５４を有する第１プレーナ構造５３を具備する。筒状ピン５４は、単信コネクタ５１に形成された関連する開口５５に圧入することにより、互いに結合する。プラスチッククリップ５２は、相手素子（例えばアダプタ）に関して二連コネクタの正しい極性を識別する文字Ａ及びＢ等の情報を表面に有する。'４２５特許のプラスチッククリップの設計は二連コネクタを形成するために新規な方法を提供するが、筒状ピンは最低の保持強度だけ有する傾向があり、一般的には望ましいほどには堅牢ではないことが判明した。さらに、クリップはコネクタのラッチ機構を増大することを意図されている、すなわちラッチを駆動するより大きな面積をユーザに提供するので、コネクタはクリップに幾分依存する。この依存性は、単信用途でのコネクタの使用を害する。換言すると、クリップに関連して作動するようコネクタを設計することにより、コネクタは独立ではよく機能せず、おそらく単信用途用に異なるコネクタを必要とする。
【０００６】
図４は、別の公知の光ファイバ二連コネクタを示す。図３に示される二連コネクタは、コネクタハウジングの後端付近に取り付けられる二連ヨーク６１により互いにクリップ留めされる２個のコネクタを具備する。二連ヨーク６１が一旦取り付けられると、２個のストレインリリーフブーツ６２の端部は、コネクタハウジングの後端から延びる圧着環６３上に押圧される。熱収縮チューブ６４は、ファイバケーブル６５及び圧着環６３の端部に取り付けられる。各コネクタ６０は２体ハウジングを具備する。ハウジングの前部６６はその表面にラッチ６７を有し、光ファイバの端部を保持するフェルール組立体（図示せず）を収容する。ハウジングの後部６８は、コネクタの横装填を補助する金属インサート（図示せず）を含む。光ファイバケーブル６５は、金属インサートに圧着されるアラミド製のファイバ補強部材を含む。'４２５特許の二連コネクタと同様に、二連ヨーク６１はコネクタハウジングに取り付けられる。コネクタ６０のハウジングは、コネクタ６０がハウジングの後部６８を要するので、ヨーク６１がハウジングに取り付けられることができるよう十分に長くなければならない。'４２５特許の二連コネクタと同様に、図４に示される二連コネクタは、リセプタクル／アダプタの後側よりも前側に使用されるのが通常である。このコネクタ組立体は意図された目的には適合するが、引っ掛かり防止部（anti-snag guard）／ラッチ駆動パッドが二連クリップと一体であるという事実は、'４２５特許の二連コネクタよりも大きくても、コネクタを二連クリップと共に使用することが不利に作用する。単信用途及び二連用途用に異なるコネクタを使用する選択性はコネクタシステムの部品点数を増加させる傾向があるので、在庫コストを上昇させ、且つ一般的にはシステムの複雑さを増加させる。
【０００７】
米国特許第６４０９３９２号（以下、'３９２号特許と称する）において、二連コネクタを形成するために壁裏（behind-the-wall：ＢＴＷ）用途に使用させるタイプの２個の単信コネクタを結合させるための二連クリップが開示される。壁裏用途に適合するコネクタは、図３及び図４にそれぞれ示された２体コネクタ５０，６０よりも典型的には長さがかなり短い。'３９２特許に開示されているように、二連クリップは、単信コネクタの対のブーツの外表面を受容及び把持するよう構成され互いに空間的に接近して単信コネクタを保持するクリップ本体を具備することにより、二連コネクタを形成する。２個のほぼ筒状穴はクリップ本体に形成され、各穴の内面はブーツの外表面を把持するよう構成される。クリップ本体には、ほぼＣ形状断面を有する穴を与えるスロットが形成される。ケーブルはスロットを通過可能であり、単信コネクタがリセプタクル又はアダプタに結合又は結合解除される際にクリップが１対の単信コネクタ上にクリップ留めできるようにする。
【０００８】
'３９２特許の二連クリップ構成は壁裏用途に使用可能なコネクタを提供するが、該特許の発明者はその構成の多数の欠点を特定している。第一に、'３９２特許の二連クリップは、コネクタの端部に使用されるブーツを要する。ブーツは一般的であるものの、全ての用途に必要なわけではない。'３９２特許の二連クリップは、ブーツを使用しない用途には適合しないであろう。さらに、'３９２特許に開示される二連クリップのヨーク構成は相対的に嵩張り、コネクタハウジングの周辺を超えて延びている。このことは、コネクタにより占有される空間を最小にする必要がある、或る用途には問題になり得る。
【０００９】
従って、単信コネクタ及び二連コネクタに使用されるコネクタが同一で、付加的な部品（例えばブーツ）を要しない堅牢な相互接続システムを提供しながら、組立体の形成に使用されるクリップが簡単で目立たない二連コネクタ組立体を提供するコネクタシステムに対するニーズがある。本発明はこのニーズを満たすものである。
【課題を解決するための手段】
【００１０】
本発明は、簡単で堅牢なクリップを使用する２個以上の同一のコネクタの組立を促進するコネクタシステムを提供する。特に、このコネクタシステムは、２個以上のコネクタを所定位置にしっかりと保持するために標準的な単信コネクタのハウジングの輪郭に沿った部分と係合する、簡単だが効果的なクリップを使用する。
【００１１】
本発明のコネクタシステムは、従来技術のコネクタシステムを越える多数の重要な利点を提供する。第一に、より大きくより複雑なコネクタ組立体（例えば二連及び四連コネクタ組立体）用の組立ブロックとして同一構造の単信コネクタを使用するので、単信コネクタ組立体用又は二連コネクタ組立体用に特に意図されたコネクタの在庫を保持し維持する必要がない。第二に、クリップはその周辺で各コネクタと係合するので、クリップ及びコネクタは機械的に相互係合し、この係合によりコネクタ組立体の構造的完全性及び信頼性が向上する。例えば、対照的に、組立体はコネクタ及びクリップ間のペグ及び穴間の摩擦嵌合に依存していない。このような堅牢なコネクタ組立体システムは、コネクタへの外部からの攻撃が一般的である用途において非常に望ましい。第三に、本発明のクリップは、その輪郭がハウジングの周辺を越えるほど延びていないとしても非常に個別的である。好適な一実施形態において、クリップはコネクタの凹部内に受容され、さらにコネクタ組立体内でクリップの輪郭を最小にする。第四に、本発明のクリップは、ブーツ又は別のケーブルドレス等の付加部品を要することなく、単信コネクタと協働する。これは、クリップの簡単化及び使用の容易さをさらに向上させる。最後に、クリップは、コネクタが結線される前でも後でも取付可能であり、コネクタに接続されるファイバケーブルとは全体として独立している。この独立性により、二連組立体及び他の組立体を現場で形成することができる。
【００１２】
本発明の一側面は、クリップを具備する光コネクタ組立体である。好適な一実施形態において、コネクタ組立体は、（ａ）複数の同一構造のコネクタと、（ｂ）複数のコネクタを横並び状態で一緒に保持するクリップとを具備する。各コネクタは外被が被せられた光ケーブルに接続され、上面、下面、両側面、相手リセプタクルに挿入するためのプラグ端、及び光ケーブルを受容するためのケーブル端を有するほぼ直方体のハウジングを具備する。ハウジングは、各側面に沿って凹部を有する。クリップは、底部、底部から直角に延びる第１及び第２の端壁、並びに第１及び第２の端壁間を底部から直角に延びる１個以上の中間部を有する。各中間部は、第１端壁に対面する第１面及び第２端壁に対面する第２面を有する。第１端壁及び一中間壁の第１面は一方のコネクタの凹部内に受容され、第２端壁及び一中間壁の第２面は別のコネクタの凹部内に受容される結果、複数のコネクタは横並び配置で保持される。
【００１３】
本発明の別の側面は、上述したコネクタの組立を促進するクリップである。
【００１４】
本発明の他の側面、利点及び新規な特徴は、添付図面に関連して把握すると、以下の説明からより明白になる。
【発明を実施するための最良の形態】
【００１５】
本発明及びその動作モードは、添付図面を参照して以下の説明を読むとより明確に理解されよう。
【００１６】
図１を参照すると、本発明のコネクタシステムの好適一実施形態が示される。コネクタ組立体１は複数の同一形状の単信コネクタ１０を具備する。各コネクタは、上面２９、下面３０、両側面３１ａ，３１ｂ、及び２端、すなわち、前端すなわちプラグ端３２及び後端すなわちケーブル端３３を有するほぼ直方体のハウジング２８を具備する。プラグ端３２は１個の相手リセプタクル（図示せず）への挿入に適合するのに対し、ケーブル端３３は１本の光ケーブル（図示せず）を受容し固定するよう構成される。ハウジング２８は両側面３１ａ，３１ｂの各々に沿った凹部２５を有する。コネクタ組立体はまた、複数のコネクタ１０を横並び状態で保持するためのクリップ１１を具備する。クリップは、底部１９、この底部１９からほぼ直角に延びる第１及び第２の端壁２０ａ，２０ｂ、並びに第１及び第２の端壁２０ａ，２０ｂ間を底部１９からほぼ直角に延びる１個以上の中間部２１を有する。１個以上の中間部２１の各々は、第１端壁２０ａに対面する第１面３４ａ及び第２端壁２０ｂに対面する第２面３４ｂを有する。クリップ１１及びコネクタ１０は、クリップ１１がコネクタ１０と係合すると、第１端壁２０ａ及び一中間壁２１の第１面３４ａは一方のコネクタ１０の凹部２５内に受容され、第２端壁２０ｂ及び一中間壁２１の第２面３４ｂは別のコネクタ１０の凹部２５内に受容される結果、複数のコネクタ１０が横並び配置で保持されるように協働する。本発明のコネクタ組立体のコネクタ及びクリップは、以下に詳細に説明する。
【００１７】
図１に示されたコネクタは、ＬＣ型コネクタ規格に適合するので、標準的なＬＣ型コネクタに共通するこのコネクタの詳細は本明細書では詳細に説明しない。しかし、本発明はＫＣ型コネクタ又は別の型のコネクタに限定されず、例えばＭＵ型、ＳＴ型、ＦＣ型、ＳＣ型、ＭＰＸ型及びＭＰＯ型コネクタシステムを含む種々のコネクタシステムに使用可能であることを理解すべきである。本発明は任意のコネクタシステムで実践できるが、ＬＣ型及びＭＵ型コネクタ等のスモールフォームファクタの単心ファイバコネクタに特に好適である。
【００１８】
コネクタ１０は、前本体１２及び後本体１３を有するほぼ直方体のハウジング２８を具備する。代表的なＬＣ型コネクタと同様に、図１の実施形態のコネクタは、引っ掛かり防止部１６、及びコネクタの後本体１３上に光ケーブルを固定する圧着片１４を具備する。しかし、本発明のコネクタは、ケーブル端付近にクリップ１１を受容するための凹部２５を有する点で、標準的なＬＣ型コネクタとは異なる。凹部２５は好適には、圧着片１４の前方でリセプタクルに受容されるコネクタ部分の背後に配置される。本特定実施形態において、凹部は引っ掛かり防止部１６の下に配置される。この構成により、引っ掛かり防止部１６及び凹部２５は共通の後本体１３上に一体的に設けることができる。凹部は、コネクタの両側面に接触してしっかりと保持されるクリップを受容するのに適合する任意の構成とすることができる。図１に示される実施形態において、凹部は、コネクタの一側面３１ａからコネクタの下面３０の周囲まで及び他の側面３１ｂまで延びる連続した凹部である。
【００１９】
凹部に或る極性維持機構を付加し、所定の方向性のクリップのみ受容することを保証することが好ましい。例えば、図２（Ｂ）を参照すると、凹部の極性維持機構は、非対称形状、特にクリップ１１ａがコネクタ１０ａに対してある方向性にあるときのみにクリップのリブ２６ａ（後述）を受容するよう設計された深い部分２７を有する凹部２５であってもよい。
【００２０】
コネクタ１０が二連組立体用に特に設計されていないことを言及する価値がある。すなわち、コネクタ１０は、本発明のクリップを使用した、二連又は四連の組立体等の任意の数のコネクタからなる組立体を形成するために、組立ブロックとして使用可能な独立の単信コネクタとして設計される。
【００２１】
図１を参照すると、本発明のクリップ１１が示される。上述したように、クリップは、底部１９、底部１９から直角に延びる第１及び第２の端壁２０ａ，２０ｂ、並びに第１及び第２の端壁２０ａ，２０ｂの間を底部１９から直角に延びる中間部２１を有する。クリップは「底」部を有するものとして表現されているが、この用語は例示目的に使用される相対的な用語であると理解すべきであり、本発明の範囲を限定するために解釈すべきでない。換言すると、底面が上下反転するように反転したクリップも本発明の範囲内である。中間部２１は、第１端壁２０ａに対面する第１面３４ａと、第２端壁２０ｂに対面する第２面３４ｂとを有する。中間部の数は、クリップが収容できるコネクタの数を決定する（すなわち、コネクタ数＝中間部の数＋１）。例えば、図１に示される実施形態において、クリップは単一の中間部を有するので、２個のコネクタを収容できる。
【００２２】
二連組立体の場合、各コネクタは、クリップの一中間部の一面と一端壁とにより保持される。２個以上のコネクタが横並び配置で一緒に保持される場合には、内部に保持されるコネクタは、クリップの中間部により所定位置に保持され、端壁には接触しない。また、クリップは、端壁と、クリップの底部の他側面から延びる中間部との第２組を含んでもよいことを理解すべきである。端壁及び中間部が底部の両側から延びるので、複数のコネクタはクリップの片側に接続することができる。このような組立体におけるコネクタは、横並び且つ底面対底面で配置される。このような構成は、例えば、２個の横並びコネクタが底部の一面に配置され、２個の横並びコネクタが底部の他面に配置される四連コネクタ組立体において好適かもしれない。
【００２３】
好適な一実施形態において、クリップは、コネクタの極性を保証する或る極性維持機構を具備する。例えば、図１及び図２（Ａ）に示される実施形態において、極性維持機構はコネクタの凹部２５ａの深い部分２７と干渉するクリップ部分に沿ったそれぞれリブ２６，２６ａ（図２（Ａ）に図示）である。このリブは、クリップが特定の方向性でのみコネクタに固定できることを保証する。換言すると、図１及び図２に示されたクリップを１８０°向きを変えること、また、リブが図示のコネクタの凹部の深い部分に受容されることは期待できない。クリップに上述した極性維持機構が設けられる場合、クリップがこの極性を示す印を有することが好ましい。例えば図１及び図２（Ａ）に示される実施形態において、クリップ１１，１１ａは、業界慣行に従って一側に「Ａ」を、他側に「Ｂ」を有する。
【００２４】
クリップは、中間部及び端壁がコネクタ上を滑ることができ、その後初期状態に戻ることができることによりコネクタをしっかりと把持することができるように、中間部及び端壁を分離するよう弾性的に撓むことができる任意の弾性材料製であってもよい。適合する材料は、例えばプラスチック及び金属が含まれる。好適一実施形態において、クリップは、図１に示された実施形態に従ってプラスチック成形品である。プラスチッククリップは、中間部及び極性維持機構が図示の底部及び側面と一体に形成されることを可能にする。さらに、本発明者等は、プラスチッククリップがコネクタ組立体に関する電磁障害の問題を最小にすることを見出した。金属クリップは適正に接地されていない場合、ある環境下ではアンテナとして作用し、電磁干渉源となるおそれがある。この理由によりプラスチックが好適であるけれども、生産性の観点からは図２（Ａ）に示されるような金属クリップ１１ａが好適であろう。すなわち、金属条を打抜き加工及び曲げ加工する技法は当業界では周知であり、単一金属条は上述した端壁及び中間部を容易に形成できる。さらに、金属クリップ１１ａは、同程度の強度を有するプラスチッククリップよりも非常に薄くできる点で、プラスチッククリップを超える利点を提供するであろう。
【００２５】
上述の実施形態は例示であってそれらに限定されるものではなく、当業者には本発明の真髄から逸脱することなく明白な変更が可能であることを理解すべきである。従って、本明細書は、このような代替物、変更及び等価物が添付特許請求の範囲に定義された本発明の真髄及び範囲内であるとしてカバーすることが意図されている。
【図面の簡単な説明】
【００２６】
【図１】ポリマクリップを使用する本発明の好適一実施形態の分解図である。
【図２】（Ａ）組立前の金属クリップを使用した本発明の好適一実施形態の斜視図、（Ｂ）組立後の金属クリップを使用した本発明の好適一実施形態の斜視図である。
【図３】二連クリップを介してクリップ留めされて二連コネクタを形成する従来技術の二連コネクタの斜視図である。
【図４】二連ヨークを介してクリップ留めされて二連コネクタを形成する従来技術の二連コネクタの斜視図である。
【符号の説明】
【００２７】
１      コネクタ組立体
１０    コネクタ
１１    クリップ
１４    圧着片
１９    底部
２０ａ  第１端壁
２０ｂ  第２端壁
２１    中間部
２５    凹部
２８    ハウジング
２９    上面
３０    下面
３１ａ，３１ｂ  側面
３２    プラグ端
３３    ケーブル端
３４ａ  第１面
３４ｂ  第２面
【図１】
2006520021.tif 000003
【図２】
2006520021.tif 000004
【図３】
2006520021.tif 000005
【図４】
2006520021.tif 000006
【国際調査報告】
2006520021.tif 000007
2006520021.tif 000008